(57)【要約】【課題】臨時に電源が必要となった場合に、比較的容易に電源として使用することができる路上低圧分岐箱を提供する。【解決手段】本体２の側面に、少なくとも１つの出力端子部から電源を取り出すための臨時用開口４を開設するとともに、臨時用開口４の下側に機器取付板６を設置した。また、本体２の側面に、臨時用開口４及び機器取付板６を被覆する閉塞カバー１１を着脱可能に固定した。そして、臨時の場合には、閉塞カバー１１を取り外すことにより、本体２内の出力端子部への電力ケーブル等の接続が可能となり、路上低圧分岐箱１を電源として使用することができるようにした。【選択図】図３
2018164345.tif 000002
【特許請求の範囲】
【請求項１】
前面に開口を有する方形箱体に成形された本体を有し、前記本体に、前記開口を開閉する扉体が備えられているとともに、前記本体内に、配電用ケーブルを介して送電されてくる電力を分岐させて出力するための複数の出力端子部が設けられた路上低圧分岐箱であって、
前記本体の側面に、少なくとも１つの前記出力端子部から電源を取り出すための臨時用開口が開設されているとともに、前記側面で前記臨時用開口の近傍となる位置に、機器取付板が設置されており、
さらに、前記本体の側面に、前記臨時用開口及び前記機器取付板を被覆可能な閉塞カバーが着脱可能に固定されており、
電源として使用する場合には、前記閉塞カバーを取り外すことを特徴とする路上低圧分岐箱。
【請求項２】
前記臨時用開口、前記機器取付板、及び前記機器取付板に搭載された機器を被覆可能であるとともに、前記出力端子部側から延びる電力ケーブルを挿通可能なケーブル挿通孔が設けられた分岐カバーを備えており、
電源として使用する場合には、前記閉塞カバーに代えて前記分岐カバーを前記本体の側面に固定することを特徴とする請求項１に記載の路上低圧分岐箱。
【発明の詳細な説明】
【技術分野】
【０００１】
本発明は、たとえば無電柱化された区域等の路上に設置され、地中に埋設された配電ケーブルを介して送電されてくる電力を分岐させるための路上低圧分岐箱に関するものである。
【背景技術】
【０００２】
従来、たとえば無電柱化された区域等の路上には、地中に埋設された配電ケーブルを介して送電されてくる電力を分岐させるための路上低圧分岐箱が設置されている（たとえば特許文献１）。そのような路上低圧分岐箱は、一般的に方形箱状に成形されており、その前面には、開口部と、当該開口部を開閉する扉体とが設けられている。しかしながら、安全保守の観点から、その扉体は通常施錠されている。
【先行技術文献】
【特許文献】
【０００３】
【特許文献１】特開２０１０−２０００７１号公報
【発明の概要】
【発明が解決しようとする課題】
【０００４】
たとえば災害が発生した緊急時や祭り開催時等、臨時に電源が必要になるという状況もある。しかしながら、上述したように路上低圧分岐箱の扉体は施錠されているため、扉体を開くことは困難である。また、路上低圧分岐箱を電源として使用するにあたり、回路遮断器等の各種機器が必要になるが、それらの機器を取り付けるスペースもない。したがって、上記状況であっても路上低圧分岐箱を電源として使用することは難しいという問題があった。
【０００５】
そこで、本発明は、上記問題に鑑みなされたものであって、臨時に電源が必要となった場合に、比較的容易に電源として使用することができる路上低圧分岐箱を提供しようとするものである。
【課題を解決するための手段】
【０００６】
上記目的を達成するために、本発明のうち請求項１に記載の発明は、前面に開口を有する方形箱体に成形された本体を有し、前記本体に、前記開口を開閉する扉体が備えられているとともに、前記本体内に、配電用ケーブルを介して送電されてくる電力を分岐させて出力するための複数の出力端子部が設けられた路上低圧分岐箱であって、前記本体の側面に、少なくとも１つの前記出力端子部から電源を取り出すための臨時用開口が開設されているとともに、前記側面で前記臨時用開口の近傍となる位置に、機器取付板が設置されており、さらに、前記本体の側面に、前記臨時用開口及び前記機器取付板を被覆可能な閉塞カバーが着脱可能に固定されており、電源として使用する場合には、前記閉塞カバーを取り外すことを特徴とする。
請求項２に記載の発明は、請求項１に記載の発明において、前記臨時用開口、前記機器取付板、及び前記機器取付板に搭載された機器を被覆可能であるとともに、前記出力端子部側から延びる電力ケーブルを挿通可能なケーブル挿通孔が設けられた分岐カバーを備えており、電源として使用する場合には、前記閉塞カバーに代えて前記分岐カバーを前記本体の側面に固定することを特徴とする。
【発明の効果】
【０００７】
本発明によれば、本体の側面に、少なくとも１つの出力端子部から電源を取り出すための臨時用開口を開設するとともに、その側面で臨時用開口の近傍となる位置に、機器取付板を設置した。また、本体の側面に、臨時用開口及び機器取付板を被覆可能な閉塞カバーを着脱可能に固定した。そして、臨時の場合には、閉塞カバーを取り外すことにより、電源として使用することができるようにした。したがって、従来よりも容易に電源として使用することができる路上低圧分岐箱を提供することができる。
また、請求項２に記載の発明によれば、臨時用開口、機器取付板、及び機器取付板に搭載された機器を被覆可能であるとともに、出力端子部側から延びる電力ケーブルを挿通可能なケーブル挿通孔が設けられた分岐カバーを備えた。そして、電源として使用する場合には、閉塞カバーに代えて分岐カバーを本体の側面に固定するようにした。したがって、電源として使用する場合にも臨時用開口や機器を被覆することができ、防水性の向上等を図ることができる。
【図面の簡単な説明】
【０００８】
【図１】臨時の電源として使用しない場合の路上低圧分岐箱を示した説明図である。
【図２】臨時の電源として使用する場合の路上低圧分岐箱を示した説明図である。
【図３】閉塞カバーを示した説明図である。
【図４】分岐カバーを示した説明図である。
【発明を実施するための形態】
【０００９】
以下、本発明の一実施形態となる路上低圧分岐箱について、図面にもとづき詳細に説明する。
【００１０】
図１は、臨時の電源として使用しない場合の路上低圧分岐箱１を示した説明図であり、図２は、臨時の電源として使用する場合の路上低圧分岐箱１を示した説明図である。図３は、閉塞カバー１１を示した説明図であり、図４は、分岐カバー２１を示した説明図である。
【００１１】
路上低圧分岐箱１は、前面に開放された方形箱状の本体２と、本体２の前面を開閉するための扉体３とを有するものであって、後述する本体２の右側面以外は、従来周知のものと同じである。すなわち、本体２の内部には複数の出力端子部（図示せず）が設けられており、地中に埋設されている配電ケーブルを介して送電されてくる電力を、各住戸毎に分岐させて供給可能としている。
【００１２】
ここで、本発明の要部となる路上低圧分岐箱１の臨時分岐部について説明する。
本体２の右側面には、臨時用開口４が開設されており、臨時用開口４を介して本体２内部の出力端子部から電源を取り出し可能になっている。また、本体２の右側面で臨時用開口４の上側となる位置には、右側へ突出した後に上側へ折り曲げられたＬ字状の被係止部材５が固着されている。さらに、本体２の右側面で臨時用開口４の下側となる位置には、電力量計や回路遮断器等を搭載するための機器取付板６が設置されている。加えて、本体２の右側面で機器取付板６の更に下側となる位置には、後述する閉塞カバー１１や分岐カバー２１をネジ止めするためのネジ孔７、７が穿設されている。
【００１３】
そして、路上低圧分岐箱１を臨時の電源として使用しない場合、上記臨時用開口４及び機器取付板６は閉塞カバー１１により覆われている。閉塞カバー１１は、上面、下面、前面、背面、及び右側面を有し、左側面のみ開口とされた方形箱状のカバー体であって、本体２の右側面に取り付けた際、臨時用開口４及び機器取付板６を被覆可能な大きさとされている。また、閉塞カバー１１の上面の左端縁には、下方へ折り曲げられ、被係止部材５に係止可能とされた係止部１２が設けられている。さらに、閉塞カバー１１の下面の左端縁には、下方へ折り曲げられた舌片１３が設けられ、当該舌片１３に、本体２の右側面へネジ止めするためのネジ孔１４、１４が穿設されている。このように構成された閉塞カバー１１は、係止部１２を被係止部材５に係止させた上でネジ止めすることにより、臨時用開口４及び機器取付板６を覆った状態で本体２の右側面に取り付けられる。
【００１４】
一方、路上低圧分岐箱１を臨時の電源として使用する場合には、上記閉塞カバー１１に代えて分岐カバー２１を取り付ける。分岐カバー２１は、上面、下面、前面、及び背面を有し、左右の両側面が開口とされたカバー本体と、分岐カバー２１の右側面を構成し、カバー本体の右側の開口を開閉する扉２５とからなる。また、分岐カバー２１は、閉塞カバー１１よりも左右幅が広くなっており、本体２の右側面に取り付けた際、臨時用開口４と機器取付板６とに加え、機器取付板６に搭載される電力量計や回路遮断器等をも被覆可能とされている。さらに、分岐カバー２１の上面の左端縁には、下方へ折り曲げられ、被係止部材５に係止可能とされた係止部２２が設けられている。さらにまた、分岐カバー２１の下面の左端縁には、下方へ折り曲げられた舌片２３が設けられ、当該舌片２３に、本体２の右側面へネジ止めするためのネジ孔２４、２４が穿設されている。加えて、分岐カバー２１の下面には、電力を引き出すべく出力端子部側から延びる電力ケーブル（出力端子部から機器取付板６に搭載された機器を介して延びるケーブルであって、図示せず）が挿通可能なケーブル挿通孔２６、２６が開設されている。そして、このように構成された分岐カバー２１は、閉塞カバー１１同様、係止部２２を被係止部材５に係止させた上でネジ止めすることにより、臨時用開口４や機器取付板６等を覆った状態で本体２の右側面に取り付けられる。
【００１５】
以上のような構成を有する路上低圧分岐箱１によれば、本体２の側面に、少なくとも１つの出力端子部から電源を取り出すための臨時用開口４を開設するとともに、臨時用開口４の下側に機器取付板６を設置した。また、本体２の側面に、臨時用開口４及び機器取付板６を被覆する閉塞カバー１１を着脱可能に固定した。そして、臨時の場合には、閉塞カバー１１を取り外すことにより、本体２内の出力端子部への電力ケーブル等の接続が可能となり、路上低圧分岐箱１を電源として使用することができるようにした。したがって、従来よりも容易に電源として使用することができる路上低圧分岐箱１を提供することができる。
【００１６】
また、臨時用開口４、機器取付板６、及び機器取付板６に設置された電力計や回路遮断器をも被覆可能であるとともに、出力端子部側から延びる電力ケーブルを挿通可能なケーブル挿通孔２６、２６が設けられた分岐カバー２１を設けた。そして、路上低圧分岐箱１を電源として使用する場合には、閉塞カバー１１に代えて分岐カバーを本体２の側面に固定するようにした。したがって、電源として使用する場合にも臨時用開口４や電力量計等を被覆することができ、防水性の向上等を図ることができる。
【００１７】
さらに、本体２の側面に、被係止部材５を固着するとともにネジ孔７、７を設ける一方、閉塞カバー１１や分岐カバー２１に、被係止部材５に係止可能な係止部１２、２２と、本体２の側面へネジ止めするためのネジ孔１４、２４とを設けた。したがって、閉塞カバー１１や分岐カバー２１の本体２への固定作業を非常に容易に行うことができる。
【００１８】
なお、本発明に係る路上低圧分岐箱は、上記実施形態の態様に何ら限定されるものではなく、本体の構成は勿論、閉塞カバーや分岐カバーの構成等についても、本発明の趣旨を逸脱しない範囲で、必要に応じて適宜変更することができる。
【００１９】
たとえば、上記実施形態では、本体の側面に被係止部材を、カバー側に係止部を夫々設けるとしているが、ネジ止めのみによって本体の側面にカバーを着脱可能に固定するように構成してもよい。
また、上記実施形態では、分岐カバーに扉を設けているが、閉塞カバー同様に扉を設けないカバーとして構成してもよいし、各カバーに窓を設け、カバー内を視認可能に構成することも可能である。
【符号の説明】
【００２０】
１・・路上低圧分岐箱、２・・本体、３・・扉体、４・・臨時用開口、５・・被係止部材、６・・機器取付板、７、１４、２４・・ネジ孔、１１・・閉塞カバー、１２・・係止部、２１・・分岐カバー、２２・・係止部、２５・・扉、２６・・ケーブル挿通孔。
【図１】
2018164345.tif 000003
【図２】
2018164345.tif 000004
【図３】
2018164345.tif 000005
【図４】
2018164345.tif 000006